(57)【要約】【課題】表示対象の画像にピクチャー部分が含まれている場合でも、周囲の状況に応じて画像全体の眩しさを効果的に低減することができる「モニタ装置」を提供すること。【解決手段】モニタ装置１０は、表示手段１２と、外光検出手段１７と、表示対象である画像に白黒画像を所定のブレンド率で混合して出力する画像変換手段１５と、表示制御手段１１とを備える。この表示制御手段１１からの制御に基づき画像変換手段１５は、外光検出手段１７により検出された周囲の明るさに応じて所定のブレンド率を変更し、当該ブレンド率で混合して得られた画像を表示手段１２に出力し、その画面に表示させる。【選択図】図１
2008309967.tif 000002
【特許請求の範囲】
【請求項１】
画面を有した表示手段と、
前記画面の近傍に配置され、周囲の明るさを検出する外光検出手段と、
表示対象である画像に白黒画像を所定のブレンド率で混合して出力する機能を備えた画像変換手段と、
前記外光検出手段により検出された周囲の明るさに応じて前記所定のブレンド率を変更するよう制御するとともに、当該ブレンド率で混合出力された画像を前記表示手段の画面に表示するよう制御する表示制御手段とを備えたことを特徴とするモニタ装置。
【請求項２】
前記画像変換手段は、入力されたカラー画像を白黒画像に変換する白黒変換部と、変換された白黒画像を前記所定のブレンド率に従って当該カラー画像に混合するブレンド処理部とを有することを特徴とする請求項１に記載のモニタ装置。
【請求項３】
前記表示制御手段は、前記画像変換手段を内蔵し、該画像変換手段が有する機能をソフトウェア処理で実現することを特徴とする請求項１に記載のモニタ装置。
【請求項４】
画面を有した表示手段と、
前記画面の近傍に配置され、周囲の明るさを検出する外光検出手段と、
表示対象である画像に対し、直接各画素毎に画素値の変換処理を施して所定の中間色の画像に変換する機能を備えた画像変換手段と、
前記外光検出手段により検出された周囲の明るさに応じて前記所定の中間色を変更するよう制御するとともに、当該中間色に変換された画像を前記表示手段の画面に表示するよう制御する表示制御手段とを備えたことを特徴とするモニタ装置。
【請求項５】
前記画像変換手段に入力される表示対象である画像は、外部から取得されたピクチャー部分を含む画像であることを特徴とする請求項１又は請求項４に記載のモニタ装置。
【請求項６】
さらに、前記表示手段の画面に所要の輝度を与える輝度印加手段を備え、
前記表示制御手段は、前記外光検出手段により検出された周囲の明るさに応じて前記所要の輝度を変更するよう制御することを特徴とする請求項１又は請求項４に記載のモニタ装置。
【請求項７】
車両に搭載されていることを特徴とする請求項１又は請求項４に記載のモニタ装置。
【発明の詳細な説明】
【技術分野】
【０００１】
本発明はモニタ装置に関し、特に、外光に応じて表示画面の輝度を自動調整する調光機能を備えたモニタ装置において表示画面に映し出される画像の眩しさを低減するのに有用な技術に関する。
【背景技術】
【０００２】
自動車や列車などの車両には、乗員に対して各種の案内情報を提供する表示画面を備えたディスプレイ等のモニタ装置が搭載されている。例えば、車載用のＬＣＤ（液晶）ディスプレイには、その表示画面を見やすくするために、周囲の明るさに応じてＬＣＤのバックライトの輝度を調整する機能（自動調光機能）が搭載されている。これは、モニタ画面の近傍に外光センサを設け、この外光センサにより周囲の照度を検出して、その照度の度合いに応じてバックライトの輝度を調整するための制御信号を生成し、その制御信号をインバータに供給してＰＷＭ（パルス幅変調）制御によりバックライトを駆動することで、その発光量（表示画面の明るさ）を変更するものである。
【０００３】
特に、周囲が暗い状況（夜間や天気が悪いなど）ではモニタ画面が眩しく見えるため、その眩しさを低減して画面を見やすくするために、車両の照明情報（以下、便宜上「ディマー（ｄｉｍｍｅｒ）情報」ともいう）に基づいて自動的にモニタのバックライトの輝度を変更する技術（自動調光）が一般的になっている。
【０００４】
同様に、眩しさを低減する別の手法として、ディマー情報に基づき画像の色そのものを変更する技術も一般的になっている。例えば、ナビゲーション装置のモニタ画面に地図画像を表示させる際に、周囲が明るい状況（昼間など）と暗い状況（夜間など）とで地図画像の表示色を変更している。
【０００５】
かかる従来技術に関連する技術としては、例えば、特許文献１に記載されるように、液晶表示部の裏面に配設されたバックライトの調光を電流調光型インバータを用いて行う液晶表示装置において、液晶表示部に表示すべき表示データの階調を低くするよう外部指示に応じて可変することで、液晶表示部での表示データの表示輝度を制御するようにしたものがある。
【特許文献１】特開平１１−１９４７３６号公報
【発明の開示】
【発明が解決しようとする課題】
【０００６】
上述したように従来の技術では、モニタ画面の眩しさを低減する手法として、ディマー情報に基づいてモニタのバックライトを自動調光する技術や、表示対象の画像の色そのものを変更する技術が実用化されている。
【０００７】
しかしながら、バックライトの輝度を変更する技術では、単にその発光量（表示画面の明るさ）を調整しているに過ぎず、表示対象の画像の色自体は変化させていないため、その表示色が原色に近い明るい色の場合には、その明るい色に相当する部分の画像が眩しく見えてしまう。このような現象は、特に夜間など周囲が暗い状況下で顕著に表れる。つまり、バックライトを自動調光しただけでは、必ずしもモニタ画面の眩しさを効果的に低減することができないといった問題があった。
【０００８】
そのため、上述したように表示対象の画像の色そのものを変更する技術、例えば、明るい色ではなく比較的暗い色を使用することで眩しさを緩和するようにした技術が実用化されている。
【０００９】
しかしながら、画像の色自体を変更する現状の技術では、表示色の変更の対象としているのは製品内部で作成した画像（例えば、ナビゲーション装置内で生成する画像）のみであり、例えば、外部から取得したピクチャー（写真）等の画像データについては色は変更されていなかった。そのため、１画面分の画像全体としては暗くなっていても、そのピクチャー部分については眩しく見えてしまうといった課題があった。
【００１０】
本発明は、かかる従来技術における課題に鑑み創作されたもので、表示対象の画像にピクチャー部分が含まれている場合でも、周囲の状況に応じて画像全体の眩しさを効果的に低減することができるモニタ装置を提供することを目的とする。
【課題を解決するための手段】
【００１１】
上記の従来技術の課題を解決するため、本発明の基本形態によれば、画面を有した表示手段と、前記画面の近傍に配置され、周囲の明るさを検出する外光検出手段と、表示対象である画像に白黒画像を所定のブレンド率で混合して出力する機能を備えた画像変換手段と、前記外光検出手段により検出された周囲の明るさに応じて前記所定のブレンド率を変更するよう制御するとともに、当該ブレンド率で混合出力された画像を前記表示手段の画面に表示するよう制御する表示制御手段とを備えたことを特徴とするモニタ装置が提供される。
【００１２】
この形態に係るモニタ装置によれば、表示制御手段からの制御に基づき画像変換手段において、表示対象の画像（例えば、ピクチャー部分を含む）に白黒画像を所定のブレンド率で混合し、その混合された画像（ブレンド画像）を表示手段に出力し、その画面に表示させている。このとき、画像変換手段から表示手段に出力されるブレンド画像は、元の画像と白黒画像の中間色（元の明るい色と比べて暗い色）を呈する。従って、表示手段の画面に映し出される画像は中間色で表示されるので、その眩しさを効果的に低減することができる。このことは、画像全体の眩しさの低減に寄与する。
【００１３】
また、画像変換処理を行う際の基準となる所定のブレンド率は、外光検出手段により検出された周囲の明るさに応じて変更されるよう制御されているので、周囲の状況に応じた表示画像を提供することができる。
【００１４】
また、上記の従来技術の課題を解決するため、本発明の他の形態によれば、画面を有した表示手段と、前記画面の近傍に配置され、周囲の明るさを検出する外光検出手段と、表示対象である画像に対し、直接各画素毎に画素値の変換処理を施して所定の中間色の画像に変換する機能を備えた画像変換手段と、前記外光検出手段により検出された周囲の明るさに応じて前記所定の中間色を変更するよう制御するとともに、当該中間色に変換された画像を前記表示手段の画面に表示するよう制御する表示制御手段とを備えたことを特徴とするモニタ装置が提供される。
【００１５】
この形態に係るモニタ装置においても、上記の形態に係るモニタ装置と同様に、表示対象である画像を所定の中間色の画像に変換したものを表示手段の画面に表示させるようにしているので、その眩しさを効果的に低減することができる。また、その所定の中間色を周囲の明るさに応じて変更するよう制御しているので、周囲の状況に応じた表示画像を提供することが可能となる。
【００１６】
本発明に係るモニタ装置の他の構成上の特徴及びそれに基づく利点等については、以下に記述する発明の実施の形態を参照しながら説明する。
【発明を実施するための最良の形態】
【００１７】
以下、本発明の好適な実施の形態について、添付の図面を参照しながら説明する。
【００１８】
図１は本発明の一実施形態に係るピクチャー変換機能を備えた車載用モニタ装置の構成をブロック図の形態で示したものである。本実施形態のモニタ装置１０は、映像情報を供給する他のビデオソース、例えば、オーディオ／ビデオ（Ａ／Ｖ）装置やナビゲーション装置等の他の車載機器、必要に応じて本装置１０に接続される外部のメディア機器などと共に使用される。
【００１９】
本実施形態に係る車載用モニタ装置１０は、図１に示すように表示制御部１１と、画面を介して情報を提供する表示部（例えば、液晶パネル）１２と、表示部１２の画面をその背面側から光照射し、表示画面に所要の輝度を与えるバックライト１３（例えば、光源に冷陰極蛍光ランプ（ＣＣＦＬ）を用いたもの）と、表示制御部１１からの制御に基づきバックライト１３をＰＷＭ制御により駆動するインバータ１４と、本発明を特徴付けるピクチャー変換部１５と、表示制御部１１からの制御に基づいて表示すべき画像を生成する画像生成部１６と、本モニタ装置１０の所定の位置に設けられた外光センサ１７と、この外光センサ１７で検出された周囲の明るさ（光量）に応じた信号（アナログ信号）をデジタル信号に変換して表示制御部１１に出力するＡ／Ｄコンバータ１８と、操作部１９とを備えている。また、表示制御部１１には、他の車載機器や外部のメディア機器などのビデオソースから映像情報（画像データ）が適宜入力されるようになっている。この外部から取得した画像データには、もちろんピクチャー（写真）部分も含まれている。
【００２０】
図２は本実施形態のモニタ装置１０を前面（フロントパネル）から見たときの外観構成を概略的に示したものである。本装置１０は、図示のようにディスクメディアを搭載できるＡ／Ｖ装置の一部としてそのモニタ部分を構成するよう組み込まれており、車室内で運転者と助手席の乗員が共用できるように両者の中間のセンターコンソールに埋め込まれる形態で（ただし、そのフロントパネルを露出させて）設置されている。図２において、１は液晶パネル（表示部１２）の表示画面、２は液晶パネル１２をセンターコンソールから表に出したり（ＯＰＥＮ）、内部に収納（ＣＬＯＳＥ）するための開閉ボタン、３はＣＤやＤＶＤ等のディスクを装填するためのディスク挿入口、４はディスク挿入口３に装填されたディスクを取り出すための「イジェクト」ボタンを示す。また、外光センサ１７は、図示のように「ＯＰＥＮ」状態の液晶パネル１２の下方でフロントパネルのほぼ中央の部分に配置されており、その左側の部分に操作部１９が配置されている。
【００２１】
操作部１９は、本モニタ装置１０を作動させるのに必要なユーザ指示を入力するためのインタフェースであり、図２に例示するように各種操作ボタン等を備えている。この操作部１９の形態としては、図示のような「操作パネル」以外にも、例えば、表示制御部１１と赤外線通信によって接続される「リモコン」や、操作の利便性を図るために液晶パネル１２の画面上に配置される「タッチパネル」であってもよい。
【００２２】
また、図２の外観構成には特に示していないが、ＵＳＢケーブル等を介して携帯型メディア機器：ＰＭＤ(Portable Media Device) を接続するためのコネクタを具備している。ＰＭＤの一例としては、最近脚光を浴びているｉＰｏｄ（登録商標）があるが、ｉＰｏｄの場合、インターネット等を介して配信された音楽ファイルをいったんパーソナルコンピュータ（ＰＣ）にダウンロードし、このＰＣからｉＰｏｄにチェックアウト（転送）した音楽ファイル（楽曲）をイヤホン等で聴くことができる。これを車載機に適用する場合、さらにＵＳＢケーブル等を介してｉＰｏｄを上記のコネクタに接続し、ｉＰｏｄに格納されている音楽ファイルのデータをＡ／Ｖ装置に取り込んで再生出力することで、車載スピーカ（図示せず）を介してその音楽を聴くことができ、また、液晶パネル１２の画面上でその音楽ファイルに関連する情報（楽曲名、アーティスト名、アルバム名などの文字情報や、アーティストの顔写真（ピクチャー）など）を視認することができる。なお、液晶パネル（表示部１２）の画面には、上記の文字情報やピクチャーなどの他に、操作部１９を介して入力される各種操作指示に関連した情報や操作画面なども表示される。
【００２３】
図１を参照すると、本発明を特徴付けるピクチャー変換部１５は、白黒変換部１５ａ及びブレンド処理部１５ｂを有している。白黒変換部１５ａは、表示制御部１１から供給される表示対象のピクチャーデータ（元のカラー画像）を白黒画像に変換する機能ブロックであり、ブレンド処理部１５ｂは、白黒変換部１５ａを通して変換された白黒画像と表示制御部１１から供給されるピクチャーデータ（元のカラー画像）を入力し、その白黒画像を後述する所定のブレンド率に従って当該カラー画像に混合し出力する機能ブロックである。このブレンド率は、外光センサ１７で検出された外光（ディマー情報）に応じて可変に設定されている。つまり、ピクチャー変換部１５は、全体として、表示制御部１１からの制御に基づきディマー情報に応じて所定のブレンド処理（ピクチャー変換処理）を行う機能を有している。
【００２４】
このようにピクチャー変換部１５を通して変換されたピクチャーデータ（ブレンド処理が施されたカラー画像データ）は、画像生成部１６に入力され、表示制御部１１から供給される当該ピクチャー部分以外の画像データと合成されて、表示データとして表示部１２に供給され、その画面に表示される。
【００２５】
表示制御部１１は、基本的には本モニタ装置１０で行う各種情報の表示のための処理全体を制御するものであり、特に本発明に関連する処理として、後述するように表示対象の画像（ピクチャーデータ）に対し、外光センサ１７で検出された外光（ディマー情報）に応じてその色合い（色調）を変更させるための制御を行う。さらに、外光センサ１７で検出された外光（ディマー情報）に応じてバックライト１３の輝度調整（自動調光処理）を行う機能も有している。この表示制御部１１は、画像表示に係る処理を規定したプログラムを格納したＲＯＭや、その処理に必要なデータを一時格納しておくためのＲＡＭなどを内蔵している。
【００２６】
このＲＡＭには、本発明に関連する情報として、あらかじめ外光センサ１７で検出された周囲の明るさの度合い（ディマーの度合い）に応じて複数段階に設定されたブレンド率の情報（ディマーの度合いとブレンド率との関係を表したテーブル）が格納されており、後述するように外光に応じて所要のブレンド処理（ピクチャー変換処理）を行う際に参照される。さらにＲＡＭには、ディマーの度合いとそれに見合った適正な調光率（バックライト１３の輝度）との関係を表したテーブルも格納されており、後述するように外光に応じて所要の輝度調整（自動調光処理）を行う際に参照される。本実施形態では、「ピクチャー変換処理」用のテーブルと「自動調光処理」用のテーブルは共に表示制御部１１内のＲＡＭに格納しているが、少なくとも「ピクチャー変換処理」用のテーブルについては、その情報を直接利用するブレンド処理部１５ｂに内蔵させるようにしてもよい。
【００２７】
図３は、この「ピクチャー変換処理」用のテーブル（ディマーの度合いとブレンド率との関係）の一例を示したものである。ここに、ブレンド率とは、ブレンドする白黒画像の全体（元のカラー画像＋白黒画像）に占める割合（％）をいう。図３の例では、「ディマーの度合い（％）」を４段階（０〜２０、２０〜５０、５０〜８０、８０〜１００）に分けて設定し、それぞれのディマーの度合い（％）に応じて、「ブレンド率（％）」を８０％、６０％、４０％、０％に設定している。
【００２８】
以上のように構成された車載用モニタ装置１０において、表示制御部１１は「表示制御手段」に、表示部１２は「表示手段」に、バックライト１３は「輝度印加手段」に、ピクチャー変換部１５は「画像変換手段」に、外光センサ１７は「外光検出手段」に、それぞれ対応している。
【００２９】
次に、本実施形態に係る車載用モニタ装置１０において行うピクチャー変換処理（ブレンド処理）について、図４も併せて参照しながら説明する。
【００３０】
先ず、表示制御部１１により、表示対象のピクチャーデータ（元のカラー画像）が白黒変換部１５ａ及びブレンド処理部１５ｂに入力されると、白黒変換部１５ａでは、その入力されたカラー画像を白黒画像に変換し、その変換した白黒画像をブレンド処理部１５ｂに出力する。
【００３１】
図４（ａ）は、表示対象のピクチャーデータ（元のカラー画像）と白黒画像の一例を示したものである。図示の例では、説明の簡単化のため、ピクチャー部分の画像が３×３＝９画素から構成され、各画素が３つの原色（Ｒ＝赤、Ｇ＝緑、Ｂ＝青）の画素値から構成されている場合を示している。例えば、元のカラー画像の上から２列目に注目すると、左側の画素は、Ｒ＝１００、Ｇ＝０、Ｂ＝０の画素値からなる「赤色」を規定し、中央の画素は、Ｒ＝０、Ｇ＝１００、Ｂ＝０の画素値からなる「緑色」を規定し、右側の画素は、Ｒ＝０、Ｇ＝０、Ｂ＝１００の画素値からなる「青色」を規定している。
【００３２】
一方、白黒画像については、モノトーン（単色）を規定するために各画素の３つの画素値は同じ値（Ｒ＝Ｇ＝Ｂ）となっている。例えば、白黒画像の上から２列目の３つの画素に注目すると、左側の画素の画素値はＲ＝Ｇ＝Ｂ＝３０、中央の画素の画素値はＲ＝Ｇ＝Ｂ＝５９、右側の画素の画素値はＲ＝Ｇ＝Ｂ＝１１となっており、黒色の濃淡度は中央＜左側＜右側の順に濃くなっている。
【００３３】
次に、元のカラー画像と白黒画像が入力されるブレンド処理部１５ｂでは、表示制御部１１と協働して、外光センサ１７で検出された周囲の明るさの度合い（ディマー情報）に応じてブレンド率を特定する。このとき、図３に例示した「ピクチャー変換処理」用のテーブルがブレンド処理部１５ｂに内蔵されている場合には、ブレンド処理部１５ｂにおいて、表示制御部１１から通知されるディマー情報（ディマーの度合い）に基づき、当該テーブルから当該「ディマーの度合い」に対応した「ブレンド率」を特定する。一方、当該テーブルが表示制御部１１内のＲＡＭに格納されている場合には、表示制御部１１において、当該テーブルから当該「ディマーの度合い」に対応した「ブレンド率」を特定し、その特定した「ブレンド率」の情報をブレンド処理部１５ｂに通知する。このようにブレンド処理部１５ｂにおいて「ブレンド率」が特定されると、当該ブレンド率に従って白黒画像を元のカラー画像にブレンドし、画像生成部１６に出力する。
【００３４】
ブレンド処理部１５ｂを通して変換されたピクチャーデータ（ブレンド画像）は、図４に示すように「元のカラー画像」と「白黒画像」の中間色を呈する。ここに、図４（ａ）の右側、図４（ｂ）及び図４（ｃ）は、それぞれ８０％、６０％及び４０％のブレンド率で混合して得られたブレンド画像を示している。また、図４（ｄ）のブレンド画像は、ブレンド率が０％の場合（つまり、白黒画像が含まれていない場合）を示している。
【００３５】
例えば、ブレンド率＝６０％でピクチャー変換処理を行った場合（図４（ｂ）参照）、そのブレンド画像の２列目に注目すると、左側の画素は、Ｒ＝５８、Ｇ＝１８、Ｂ＝１８の画素値によって規定される「中間色」を呈し、中央の画素は、Ｒ＝３５、Ｇ＝７５、Ｂ＝３５の画素値によって規定される「中間色」を呈し、右側の画素は、Ｒ＝６、Ｇ＝６、Ｂ＝４６の画素値によって規定される「中間色」を呈する。なお、Ｒ＝５８の画素値は、同じ２列目の「元のカラー画像」と「白黒画像」から、Ｒ＝３０（白黒画像）×６０％とＲ＝１００（カラー画像）×４０％との合計によって表され、他の画素値についても同様の計算によって求められる。
【００３６】
なお、本発明を特徴付ける処理ではないので詳細な説明は省略するが、上述したピクチャー変換処理（ブレンド処理）と並行して、表示制御部１１により、外光センサ１７で検出された外光（ディマー情報）に応じた自動調光処理も行っている。すなわち、表示制御部１１では、外光センサ１７で検出された外光の光量に応じた信号（ディマー情報）をＡ／Ｄコンバータ１８を介して受信し、ＲＡＭに格納されている「自動調光処理」用のテーブルを参照して、当該外光の光量に応じた調光率を特定し、インバータ１４を介してバックライト１３に対し、その調光率に見合った発光量（輝度）の調整を行っている。このような輝度調整（自動調光処理）は、従来形のものと同様である。
【００３７】
以上説明したように、本実施形態に係る車載用モニタ装置１０（図１）によれば、表示制御部１１からの制御に基づきピクチャー変換部１５において、表示対象のピクチャーデータ（元のカラー画像）に白黒画像を所定のブレンド率（図３）で混合することで中間色の画像（元の明るい色と比べて暗い色の画像）に変換し、その変換されたピクチャーデータ（中間色の画像）を画像生成部１６を介して表示データとして表示部１２に供給し、その画面に表示させている。これにより、表示部１２の画面に映し出されたピクチャー部分の画像（図４（ａ）の右側、図４（ｂ）、図４（ｃ）に示すブレンド画像）は、中間色で表示されているので眩しさを効果的に低減することができ、ひいては画像全体の眩しさの低減に寄与することができる。さらに、ブレンド画像の明暗の階調の度合いが変わらないので、識別し易い画像となっている。
【００３８】
比較のため、図５に、バックライト輝度を低減しただけの画像（ピクチャー部分の画像が３×３＝９画素から構成されている画像）を示す。図示の例では、輝度を２０％低減した場合の画像を示しており、全体的に暗くなっているため眩しさは緩和されているが、明暗の階調が無いため、識別し難い画像となっている。
【００３９】
また、ピクチャー変換部１５においてブレンド処理（図４）を行う際の基準となるブレンド率は、表示制御部１１によりディマーの度合い（周囲の明るさの度合い）に応じて変更されるよう制御されているので、周囲の状況（明るさ）に応じた表示画像を提供することが可能となる。
【００４０】
上述した実施形態（図１）では、本発明を特徴付けるピクチャー変換機能をハードウェア（ピクチャー変換部１５）で構成した場合を例にとって説明したが、かかるピクチャー変換機能を実現する手段がこれに限定されないことはもちろんであり、例えば、ソフトウェア処理で実現することも可能である。その場合の実施形態を図６に示す。
【００４１】
図６は本発明の他の実施形態に係る車載用モニタ装置の構成を示したものであり、上述した実施形態の場合と同様に、映像情報を供給する他のビデオソース（他の車載機器や外部のメディア機器など）と共に使用される。そのため、表示制御部１１ａには、そのビデオソースから映像情報（ピクチャー部分を含む画像データ）が適宜入力されるようになっている。
【００４２】
本実施形態に係る車載用モニタ装置１０ａは、上述した実施形態に係る車載用モニタ装置１０（図１）と比べて、ハードウェアとしてのピクチャー変換部１５の代わりに、ソフトウェア処理で実現するピクチャー変換部２０を表示制御部１１ａ内に内蔵させた点で相違する。このピクチャー変換部２０では、表示制御部１１ａで取得した外光センサ１７の検出信号（ディマー情報）からブレンド率（図３）を算出し、そのブレンド率に従い、表示対象のピクチャーデータ（元のカラー画像）に対して白黒画像をブレンドさせる計算及び変換を行い、その変換したピクチャーデータを画像生成部１６に出力する。他の構成及びその動作（機能）については、上述した実施形態の場合と同じであるのでその説明は省略する。
【００４３】
本実施形態に係る車載用モニタ装置１０ａにおいても、ピクチャー変換機能をハードウェアで実現するかソフトウェア処理で実現するかの違いはあるにせよ、上述した実施形態の場合と同様に、ブレンド処理によって変換した中間色の画像（元の明るい色と比べて暗い色の画像）を表示部１２の画面に表示し、かつ、そのブレンド率をディマーの度合いに応じて変更制御しているので、周囲の状況に応じて画像全体の眩しさを効果的に低減することができる。
【００４４】
また、上述した各実施形態では、表示対象のピクチャーデータ（元のカラー画像）にブレンド処理を施すことで中間色の画像に変換し、その中間色の画像を表示部１２の画面に表示させるようにしたが、本発明の要旨からも明らかなように、中間色の画像を得るための手段として必ずしもブレンド処理を行う必要はない。例えば、表示対象のピクチャーデータ（元のカラー画像）に対し、直接各画素毎に画素値の変換処理を施すことで所定の中間色の画像を得るようにしてもよい。かかる手法を用いても、上述した各実施形態の場合と同様の効果を奏することが可能である。
【００４５】
また、上述した各実施形態では、本発明に係るモニタ装置を車載用に適用した場合を例にとって説明したが、本発明の要旨からも明らかなように、本発明に係るモニタ装置は必ずしも車両に搭載される必要がないことはもちろんである。要は、上述したように外光を検出する手段、表示対象の画像（ピクチャー部分を含む）に対し、外光に応じてその色合い（色調）を変更する手段、外光に応じて表示画面の輝度調整を行う手段を備えていれば十分であり、かかる手段を備えたモニタ装置であれば、本発明は車載用に限らず、家庭用などの一般的なＡ／Ｖ関連機器もしくはそのシステムに使用される各種モニタ装置にも同様に適用することが可能である。
【図面の簡単な説明】
【００４６】
【図１】本発明の一実施形態に係るピクチャー変換機能を備えた車載用モニタ装置の構成を示すブロック図である。
【図２】図１のモニタ装置を前面（フロントパネル）から見たときの外観構成を概略的に示す図である。
【図３】図１における表示制御部内のＲＡＭに格納されるテーブル（ディマーの度合いとブレンド率との関係）の一例を示す図である。
【図４】図３のテーブルに基づいて行うピクチャー変換処理（ブレンド処理）を説明するための画像の一例を示す図である。
【図５】バックライトの輝度を低減しただけの画像の一例を示す図である。
【図６】本発明の他の実施形態に係るピクチャー変換機能を備えた車載用モニタ装置の構成を示すブロック図である。
【符号の説明】
【００４７】
１…表示画面、
１０，１０ａ…車載用モニタ装置、
１１，１１ａ…表示制御部（表示制御手段）、
１２…表示部（表示手段）、
１３…バックライト（輝度印加手段）、
１４…インバータ、
１５，２０…ピクチャー変換部（画像変換手段）、
１５ａ…白黒変換部、
１５ｂ…ブレンド処理部、
１６…画像生成部、
１７…外光センサ（外光検出手段）。
【図１】
2008309967.tif 000003
【図２】
2008309967.tif 000004
【図３】
2008309967.tif 000005
【図４】
2008309967.tif 000006
【図５】
2008309967.tif 000007
【図６】
2008309967.tif 000008